(57)【要約】【課題】  音声通信のサービス用途に応じて好適な加工処理を行うことができる通信処理装置を提供する。【解決手段】  本発明は、送信元から受信したメディア信号を宛先に転送する通信処理装置に関する。そして、本発明の通信処理装置は、送信元からメディア信号を受信する受信手段と、宛先ごとにメディア信号の特徴を分析して、その分析結果を示す特徴量データを生成する特徴分析手段と、宛先ごとに、少なくとも特徴分析手段が生成した特徴量データに基づいて、メディア信号を加工処理する内容を記述した加工シナリオを生成する加工シナリオ生成手段と、宛先ごとに、受信したメディア信号を加工シナリオ生成手段が生成した加工シナリオに従ってメディア信号の加工処理を行うメディア信号処理手段と、メディア信号処理手段が処理したメディア信号を宛先に送出する送信手段とを有することを特徴とする。【選択図】      図１
2019176412.tif 000002
【特許請求の範囲】
【請求項１】
送信元から受信したメディア信号を宛先に転送する通信処理装置において、
送信元からメディア信号を受信する受信手段と、
宛先ごとにメディア信号の特徴を分析して、その分析結果を示す特徴量データを生成する特徴分析手段と、
宛先ごとに、少なくとも前記特徴分析手段が生成した特徴量データに基づいて、メディア信号を加工処理する内容を記述した加工シナリオを生成する加工シナリオ生成手段と、
宛先ごとに、受信したメディア信号を前記加工シナリオ生成手段が生成した前記加工シナリオに従ってメディア信号の加工処理を行うメディア信号処理手段と、
前記メディア信号処理手段が処理したメディア信号を宛先に送出する送信手段と
を有することを特徴とする通信処理装置。
【請求項２】
前記加工シナリオ生成手段は、宛先ごとに属性も考慮して加工シナリオを生成することを特徴とする請求項１に記載の通信処理装置。
【請求項３】
前記加工シナリオ生成手段は、前記属性がメディア信号に含まれる音響信号に基づいて音声認識処理を行う音声認識処理端末である宛先については、メディア信号に含まれる音響信号を音声認識処理に都合の良い音質に加工する加工シナリオを生成することを特徴とする請求項２に記載の通信処理装置。
【請求項４】
前記加工シナリオ生成手段は、前記属性が音声認識処理端末ではない宛先については、メディア信号に含まれる音響信号を人間に聞かせる際に都合の良い音質に加工する加工シナリオを生成することを特徴とする請求項３に記載の通信処理装置。
【請求項５】
送信元から受信したメディア信号を宛先に転送する通信処理装置に搭載されたコンピュータを、
送信元からメディア信号を受信する受信手段と、
宛先ごとにメディア信号の特徴を分析して、その分析結果を示す特徴量データを生成する特徴分析手段と、
宛先ごとに、少なくとも前記特徴分析手段が生成した特徴量データに基づいて、メディア信号を加工処理する内容を記述した加工シナリオを生成する加工シナリオ生成手段と、
宛先ごとに、受信したメディア信号を前記加工シナリオ生成手段が生成した前記加工シナリオに従ってメディア信号の加工処理を行うメディア信号処理手段と、
前記メディア信号処理手段が処理したメディア信号を宛先に送出する送信手段と
として機能させることを特徴とする通信処理プログラム。
【請求項６】
送信元から受信したメディア信号を宛先に転送する通信処理装置が行う通信処理方法において、
受信手段、特徴分析手段、加工シナリオ生成手段、メディア信号処理手段、及び送信手段を有し、
前記受信手段は、送信元からメディア信号を受信し、
前記特徴分析手段は、宛先ごとにメディア信号の特徴を分析して、その分析結果を示す特徴量データを生成し、
前記加工シナリオ生成手段は、宛先ごとに、少なくとも前記特徴分析手段が生成した特徴量データに基づいて、メディア信号を加工処理する内容を記述した加工シナリオを生成し、
前記メディア信号処理手段は、宛先ごとに、受信したメディア信号を前記加工シナリオ生成手段が生成した前記加工シナリオに従ってメディア信号の加工処理を行い、
前記送信手段は、前記メディア信号処理手段が処理したメディア信号を宛先に送出する
ことを特徴とする通信処理方法。
【発明の詳細な説明】
【技術分野】
【０００１】
この発明は、通信処理装置、プログラム及び方法に関し、例えば、ネットワーク上で伝送されるメディア信号（例えば、音響信号）の品質向上に適用することができる。
【背景技術】
【０００２】
従来、端末間の音声通信等のメディアを中継する通信網では、端末間の通信内容等に基づいて自律的に提供サービス(例えば、音声対話機能や迷惑電話呼の遮断機能の提供)を制御する技術（通信網の知性化技術）が存在する（例えば、特許文献１参照）。
【先行技術文献】
【特許文献】
【０００３】
【特許文献１】特開２０１６−１５２４７１号公報
【発明の概要】
【発明が解決しようとする課題】
【０００４】
ところで、従来、Ｈ２Ｈ（人対人）の音声コミュニケーション用途でＶｏＩＰが発展してきており、音声通信に対応した通信網では、特許文献１の記載技術のように、特に電話サービス向けにいかに音声を忠実に伝達・記録・再生するかという点に特化したサービスが大半である。
【０００５】
しかしながら、昨今、通信網（例えば、音声通信網やインターネット等の通信網）において、Ｈ２Ｈの通信量に対して、Ｈ２Ｍ（人対マシン）の音声サービスの通信量の比率が急速に高まっており、必ずしも「人にとって都合のよい音質」（人にとって聞き取りやすい音質）が「マシンにとって都合のよい音質」（音声認識精度が高くなる音質）ではないことがわかってきており、サービス用途によってニーズを変更（音質を変更）することが必要とされてきている。
【０００６】
以上のような問題に鑑みて、音声通信のサービス用途に応じて好適な加工処理を行うことができる通信処理装置、プログラム及び方法が望まれている。
【課題を解決するための手段】
【０００７】
第１の本発明の通信処理装置は、（１）送信元から受信したメディア信号を宛先に転送する通信処理装置において、（２）送信元からメディア信号を受信する受信手段と、（３）宛先ごとにメディア信号の特徴を分析して、その分析結果を示す特徴量データを生成する特徴分析手段と、（４）宛先ごとに、少なくとも前記特徴分析手段が生成した特徴量データに基づいて、メディア信号を加工処理する内容を記述した加工シナリオを生成する加工シナリオ生成手段と、（５）宛先ごとに、受信したメディア信号を前記加工シナリオ生成手段が生成した前記加工シナリオに従ってメディア信号の加工処理を行うメディア信号処理手段と、（６）前記メディア信号処理手段が処理したメディア信号を宛先に送出する送信手段とを有することを特徴とする。
【０００８】
第２の本発明の通信処理プログラムは、コンピュータを、（１）送信元から受信したメディア信号を宛先に転送する通信処理装置において、（２）送信元からメディア信号を受信する受信手段と、（３）宛先ごとにメディア信号の特徴を分析して、その分析結果を示す特徴量データを生成する特徴分析手段と、（４）宛先ごとに、少なくとも前記特徴分析手段が生成した特徴量データに基づいて、メディア信号を加工処理する内容を記述した加工シナリオを生成する加工シナリオ生成手段と、（５）宛先ごとに、受信したメディア信号を前記加工シナリオ生成手段が生成した前記加工シナリオに従ってメディア信号の加工処理を行うメディア信号処理手段と、（６）前記メディア信号処理手段が処理したメディア信号を宛先に送出する送信手段として機能させることを特徴とする。
【０００９】
第３の本発明は、送信元から受信したメディア信号を宛先に転送する通信処理装置が行う通信処理方法において、（１）受信手段、特徴分析手段、加工シナリオ生成手段、メディア信号処理手段、及び送信手段を有し、（２）前記受信手段は、送信元からメディア信号を受信し、（３）前記特徴分析手段は、宛先ごとにメディア信号の特徴を分析して、その分析結果を示す特徴量データを生成し、（４）前記加工シナリオ生成手段は、宛先ごとに、少なくとも前記特徴分析手段が生成した特徴量データに基づいて、メディア信号を加工処理する内容を記述した加工シナリオを生成し、（５）前記メディア信号処理手段は、宛先ごとに、受信したメディア信号を前記加工シナリオ生成手段が生成した前記加工シナリオに従ってメディア信号の加工処理を行い、（６）前記送信手段は、前記メディア信号処理手段が処理したメディア信号を宛先に送出することを特徴とする通信処理方法。
【発明の効果】
【００１０】
本発明によれば、音声通信のサービス用途に応じて好適な加工処理を行う通信処理装置を提供することができる。
【図面の簡単な説明】
【００１１】
【図１】実施形態に係る通信処理装置の機能的構成について示したブロック図である。
【図２】実施形態に関係する各装置の接続関係の例について示したブロック図である。
【図３】実施形態に係る加工シナリオの構成例について示した説明図（その１）である。
【図４】実施形態に係る加工シナリオの構成例について示した説明図（その２）である。
【発明を実施するための形態】
【００１２】
（Ａ）主たる実施形態
以下、本発明による通信処理装置、プログラム及び方法の一実施形態を、図面を参照しながら詳述する。
【００１３】
（Ａ−１）実施形態の構成
図２は、この実施形態に関連する各装置の接続構成について示したブロック図である。
【００１４】
この実施形態の発明に係る通信処理装置１０は、第１のネットワークＮＷ１と第２のネットワークＮＷ２との間の通信（パケット）を中継する機能を担っている。ここでは、通信処理装置１０は、主として、ＶｏＩＰ（Ｖｏｉｃｅ  ｏｖｅｒ  Ｉｎｔｅｒｎｅｔ  Ｐｒｏｔｏｃｏｌ）通信のパケット（ＶｏＩＰに対応した端末間のＩＰパケット）を受信し、必要に応じて加工処理を施して宛先に転送する処理を行う装置である。
【００１５】
例えば、通信処理装置１０は、第１のネットワークＮＷ１側から、ＶｏＩＰ向けのコーデック（例えば、ＩＴＵ−Ｔ  Ｇ．７１１等）で符号化された音声データが挿入されたパケット（例えば、ＲＴＰ等のプロトコルに対応したパケット）を受信すると、当該パケットに挿入されたデータを復号して音声データを取得し、必要に応じて当該音声データ（当該音声データに基づく音響信号）を加工処理する。そして、通信処理装置１０は、加工した音声データを符号化（例えば、受信したパケットと同じコーデックで符号化）し、受信した際と同じ宛先を設定したパケット（受信した際と同じヘッダを設定したパケット）に挿入して第２のネットワーク側ＮＷ２側に送出する。
【００１６】
図２では、第１のネットワークＮＷ１に接続する端末として電話装置Ｔ１、ＦＡＸ端末Ｔ２、及びモデム機器Ｔ３を図示している。また、図２では、第２のネットワークＮＷ２に接続する端末として電話装置Ｔ４、ＦＡＸ端末Ｔ５、モデム機器Ｔ６、音声認識機器Ｔ７を図示している。
【００１７】
電話装置Ｔ１、Ｔ４は、電話通信回線を介して電話通信（電話通信の呼）を接続する端末である。ＦＡＸ端末Ｔ２、Ｔ５は、電話通信回線を介してＦＡＸ通信可能な端末である。モデム機器Ｔ３、Ｔ６は、電話通信回線を介してデータ通信処理（配下に接続された端末のデータ通信処理）を行う端末である。音声認識機器Ｔ７は、例えば、ＩＶＲ（Ｉｎｔｅｒａｃｔｉｖｅ  Ｖｏｉｃｅ  Ｒｅｓｐｏｎｓｅ  Ｓｙｓｔｅｍ）等の音声認識処理（例えば、電話装置Ｔ１の話者の発話に基づく音声信号からの音声認識処理）を伴う装置である。なお、電話装置Ｔ１、Ｔ４、ＦＡＸ端末Ｔ２、Ｔ５、モデム機器Ｔ３、Ｔ６、及び音声認識機器Ｔ７自体は、ＩＰ通信（ＶｏＩＰ）に対応するインタフェースを備えるようにしてもよいし、ＩＰ通信（ＶｏＩＰ）するためのアダプタ等を介して第１のネットワークＮＷ１、又は第２のネットワークＮＷ２に接続する環境としてもよい。また、この実施形態では、説明を簡易とするため、通信処理装置１０が処理するパケットの送信元の端末が接続するネットワークとして、第１のネットワークＮＷ１を示し、通信処理装置１０が処理するパケットの送信先の端末が接続するネットワークとして第２のネットワークＮＷ２を図示しているが、第１のネットワークＮＷ１と第２のネットワークＮＷ２とは同じネットワークであってもよい。言い換えると、この実施形態において、通信処理装置１０は、電話装置Ｔ１から送出されたパケットが音声認識機器Ｔ７に到達するまでの伝送路上のいずれかの区間に配置されていれさえすれば、その他のネットワーク構成について限定されないものである。
【００１８】
次に、通信処理装置１０の内部構成について説明する。
【００１９】
図１は、通信処理装置１０の機能的構成について示したブロック図である。
【００２０】
通信処理装置１０は、第１の通信部１０１、音声復号処理部１０２、音声データ処理部１０３、音声符号化処理部１０４、第２の通信部１０５、特徴抽出部１０６、特徴記録部１０７、原音記録部１０８、音片処理部１０９、加工シナリオ生成部１１０、及び加工シーケンサ１１１を有している。
【００２１】
なお、図１では、説明を簡易とするため、通信処理装置１０が、第１のネットワークＮＷ１側から受信したパケットを処理して第２のネットワークＮＷ２側に送出する構成について図示し、逆方向のパケット送受信に係る構成については図示を省略している。通信処理装置１０において、第２のネットワークＮＷ２側から受信したパケットについては、そのまま第１のネットワークＮＷ１側に送出するようにしてもよいし、所定の加工処理を施して送信するようにしてもよい。
【００２２】
通信処理装置１０は、例えば、ＰＣやワークステーション等のコンピュータに、プログラム（実施形態に係る通信処理プログラム）をインストールすることにより実現するようにしてもよい。
【００２３】
第１の通信部１０１は、第１のネットワークＮＷ１に接続する通信インタフェースである。第２の通信部１０５は、第２のネットワークＮＷ２に接続する通信インタフェースである。
【００２４】
第１のネットワークＮＷ１及び第２のネットワークＮＷ２の具体的な仕様については限定されないものであるが、例えば種々のイーサネット（登録商標）インタフェース（ＬＡＮインタフェース）等を適用することができる。
【００２５】
音声復号処理部１０２は、第１の通信部１０１が受信したパケットから、所定のコーデックにより符号化されたデータを復号して音声データ（メディア信号）を取得する処理を行う。
【００２６】
音声データ処理部１０３は、加工シーケンサ１１１の制御に従って、音声復号処理部１０２が復号した音声データの加工処理を行って出力する。なお、音声復号処理部１０２は、加工シーケンサ１１１の制御によっては、加工処理の内容が「加工無し」となる場合（すなわち、実質的に加工処理を行わない場合）もあり得るものとする。すなわち、音声データ処理部１０３から出力される音声データには、実質的に加工処理が行われていない音声データも混在する場合があるが、以下では、音声データ処理部１０３から出力される音声データを総称して加工処理済の音声データと呼ぶものとする。なお、音声データ処理部１０３による加工処理の内容の具体例については後述する。
【００２７】
音声符号化処理部１０４は、音声データ処理部１０３で加工処理済の音声データを所定のコーデック（例えば、加工処理前に第１のネットワークＮＷ１で受信した際のパケットのコーデックと同じコーデック）で符号化（エンコード）する。
【００２８】
第２の通信部１０５は、音声符号化処理部１０４で符号化したデータを挿入したパケット（例えば、加工処理前に第１のネットワークＮＷ１で受信した際のパケットと同じ宛先等を設定したパケット）を生成して、第２のネットワークＮＷ２側に送出する。
【００２９】
なお、第１の通信部１０１、音声復号処理部１０２、音声データ処理部１０３、音声符号化処理部１０４、及び第２の通信部１０５では、第１のネットワークＮＷ１から受信したパケットの処理内容を宛先単位やセッション単位で管理するようにしてもよい。例えば、第１の通信部１０１、音声復号処理部１０２、音声データ処理部１０３、音声符号化処理部１０４、及び第２の通信部１０５では、宛先単位やセッション単位で、適用するコーデックや、音声データの加工処理内容や、パケットに設定するヘッダ情報（例えば、宛先等を含むヘッダ情報）等を管理するようにしてもよい。また、第１の通信部１０１は、音声データが挿入されていないパケットについては、そのまま第２の通信部１０５に供給して転送処理させるようにしてもよい。
【００３０】
特徴抽出部１０６は、音声復号処理部１０２の復号処理で取得された音声データに基づく音響信号（音声）から、所定の特徴量を抽出する処理を行う。
【００３１】
特徴記録部１０７は、特徴抽出部１０６が抽出した特徴量のデータ（以下、「特徴量データ」と呼ぶ）を分類して蓄積する。
【００３２】
原音記録部１０８は、音声復号処理部１０２の復号処理で取得された音声データ（加工処理前の音声データ；以下、「原音データ」とも呼ぶ）を分類して蓄積記録する処理を行う。
【００３３】
音片処理部１０９は、原音記録部１０８に蓄積記録された所定の宛先に対応する原音データの一部（以下、「音片データ」と呼ぶ）を抽出し、当該宛先を指定して音声データ処理部１０３に供給する。そして、音片処理部１０９は、音声データ処理部１０３に音片データに当該宛先に応じた加工処理を実行させ、加工処理後の音片データを第２の通信部１０５から当該宛先に送信させる。
【００３４】
音片処理部１０９は、例えば、通信試験対象の宛先の指定を受け付けて、当該宛先に対応する音声データから所定の長さ（例えば、１０秒程度）の音片データを取得し、音声データ処理部１０３に供給する処理を行うようにしてもよい。音片処理部１０９が通信試験対象の宛先の指定を受け付ける方法については限定されないものであり、例えば、オペレータの操作（例えば、キーボードやマウス等による操作）や、通信による受付（例えば、宛先から所定の電文（メッセージ）を用いた受付）を適用することができる。なお、音片処理部１０９は、音声復号処理部１０２が過去に復号して得た音声データではなく、試験用の別の音声データを音片データとして出力するようにしてもよい。
【００３５】
加工シナリオ生成部１１０は、特徴記録部１０７に記録された特徴量データ等に基づいて、宛先ごとに音声データ処理部１０３が行う加工内容（以下、「加工シナリオ」と呼ぶ）を生成する。また、加工シナリオ生成部１１０は、音声データの宛先の属性（例えば、宛先となる端末の種類）に応じた内容の加工シナリオを作成する。
【００３６】
この実施形態の通信処理装置１０では、説明を簡易とするため、宛先の属性は、音声認識処理を伴う端末であることを示す「音声認識処理端末」であるか、音声認識処理を伴わない端末であることを示す「非音声認識処理端末」で示されるものとして説明する。図２において、音声認識処理端末の属性となるのは、音声認識機器Ｔ７のみであり、それ以外の端末の属性は非音声認識処理端末となるものとする。なお、通信処理装置１０において、音声認識処理端末や非音声認識処理端末をさらに細かい属性に分類して管理するようにしてもよい。
【００３７】
例えば、加工シナリオ生成部１１０は、宛先の属性が音声認識処理端末の加工シナリオとして、音声認識処理の精度を向上させるための加工処理（音声認識処理を行うマシンにとって都合のよい音質となる加工処理）を決定する。また、この実施形態では、加工シナリオ生成部１１０は、宛先の属性が非音声認識処理端末の加工シナリオの内容として特徴量データを考慮した内容を決定するものとする。また、例えば、加工シナリオ生成部１１０は、宛先の属性が非音声認識処理端末の加工シナリオとしては、特に加工処理を行わない内容としてもよいし、音声通話に最適化するための加工処理（人間にとって都合のよい音質となる加工処理）を行う内容としてもよい。
【００３８】
以上のように、この実施形態では、加工シナリオ生成部１１０は、宛先ごとの属性を認識しているものとする。加工シナリオ生成部１１０が、宛先ごとの属性（第２のネットワークＮＷ２上の各宛先の属性）の情報を保持する方法は限定されないものである。例えば、通信処理装置１０自体、又は通信処理装置１０が通信可能なサーバ(例えば、加入者データが保持されたデータベースサーバや、ＳＩＰサーバ等）に宛先ごとの属性の情報が登録されており、加工シナリオ生成部１１０がそれらの情報を保持可能な状態とするようにしてもよい。
【００３９】
加工シーケンサ１１１は、加工シナリオ生成部１１０が生成した加工シナリオに従って音声データ（音片データ）の加工を行うように、音声データ処理部１０３を制御する。
【００４０】
次に、音声データ処理部１０３の詳細構成について説明する。
【００４１】
音声データ処理部１０３は、処理バッファ２００、加工処理部３００を有している。
【００４２】
処理バッファ２００は、音声復号処理部１０２から供給された音声データを、加工処理（加工処理部３００による加工処理）が完了するまで保留するものである。処理バッファ２００は、宛先ごとに音声データを保留し、加工処理の完了した音声データを音声符号化処理部１０４側に出力する。
【００４３】
加工処理部３００は、加工シーケンサ１１１の制御に従って処理バッファ２００に保留された音声データの加工処理を行う。
【００４４】
加工処理部３００が音声データに対して加工処理を行う項目の数や組み合わせについては限定されないものである。この実施形態の例では、加工処理部３００は、音声データを加工処理する要素として、少なくとも音量調整部３０１、可聴音消去部３０２、イコライザ３０３、及びホルマント強調部３０４を備えるものとして説明する。言い換えると、この実施形態の例では、加工処理部３００は、少なくとも４つの項目について音声データを加工処理することが可能であるものとして説明する。
【００４５】
音量調整部３０１は、音声データに係る音響信号の音量（ボリューム；パワー）のレベルを調整する処理を行う。音声認識処理対象の音響信号は、ある範囲内で一定の音量（安定した音量）である方が好ましい。特に、有音区間（話者の音声の音響信号が含まれる区間）の音量が所定以下の音響信号は、音声認識処理の精度が低くなる傾向にある。そのため、音量調整部３０１は、音声認識処理対象の音響信号の音量レベルが所定以下（例えば、有音区間の音量レベルが所定以下）の場合に、当該音響信号の音量レベルを引き上げる（拡大する）処理を行う。ただし、音声認識処理を行う対象の音響信号のレベルを単純に引き上げてしまうと、レベルの上限を超えたり、信号に歪みが発生する可能性が高くなる。そこで、音量調整部３０１は、いわゆるノーマライズの処理により、音声認識処理対象の音響信号の音量レベルを、所定レベルの範囲内で拡大する処理を行うことが望ましい。
【００４６】
可聴音消去部３０２は、音声認識処理対象の音響信号に音声認識処理対象の音声の信号（以下、「目的音」と呼ぶ）以外の信号（以下、「非目的音」と呼ぶ）が含まれる場合、当該音響信号から非目的音を消去する処理を行う。可聴音消去部３０２で消去対象となる非目的音としては、例えば、電話通信における呼制御に係る信号、ＢＴ（Ｂｕｓｙ  Ｔｏｎｅ）信号、ＰＢ（Ｐｕｓｈ  Ｂｕｔｔｏｎ）信号、ＤＴ（Ｄｉａｌ  Ｔｏｎｅ）信号等が挙げられる。例えば、宛先において、呼制御にＢＴ信号、ＰＢ信号、ＤＴ信号等の呼制御信号を必要としない場合、それらの信号の音は、宛先における音声認識処理を阻害するだけの存在となるため消去するほうが望ましい。
【００４７】
イコライザ３０３は、音声認識処理対象の音響信号の周波数特性（周波数帯域ごとのパワーのバランス）を、音声認識処理しやすい周波数特性に変更する調整を行うものである。例えば、音声認識処理対象の音響信号において、人間の発話する音声成分が多く含まれる周波数帯（例えば、０．３〜３．４ｋＨｚ）で、極端にパワーの低い周波数帯が存在すると音声認識処理精度が劣化する可能性がある。そこで、この実施形態のイコライザ３０３は、音声認識処理対象の音響信号の所定範囲の周波数帯（例えば、０．３〜３．４ｋＨｚの範囲）で、パワーが所定以下の帯域についてパワーを引き上げる（拡大する）処理を行うものとする。具体的には、この実施形態のイコライザ３０３は、音響信号の帯域を低域（０．３ｋＨｚ以上１．３ｋＨｚ未満）、中域（１．３ｋＨｚ以上２．３ｋＨｚ未満）、高域（２．３ｋＨｚ以上３．４ｋＨｚ以下）に分けて、加工シーケンサ１１１の制御に応じて、低域、中域、高域の一部又は全部に対して、所定レベル（例えば、＋６ｄＢ程度）パワーを引き上げる処理を行う。これにより、音声データにおける各帯域のレベルが、可能な限り一様とする処理を行うようにしてもよい。例えば、音声認識処理対象の音響信号において、低域の平均パワー（有音区間の平均パワー）が−１４ｄＢ、中域の平均パワー（有音区間の平均パワー）が−２０ｄＢ、高域の平均パワー（有音区間の平均パワー）が−１４ｄＢだった場合、イコライザ３０３が、当該音響信号の中域の信号について６ｄＢ引き上げる調整を行うようにしてもよい。
【００４８】
ホルマント強調部３０４は、ホルマント（例えば、第１ホルマント及び第２ホルマント等の主要ホルマント）強調する処理（例えば、主要ホルマントの周波数について、パワー（振幅）を引き上げる処理）を行う。例えば、ホルマント強調部３０４は、種々のホルマント強調処理（ホルマント強調フィルタ）による処理を行うようにしてもよい。
【００４９】
（Ａ−２）実施形態の動作
次に、以上のような構成を有するこの実施形態の通信処理装置１０の動作（実施形態に係る通信処理方法の動作）を説明する。
【００５０】
まず、特徴記録部１０７の動作の例について説明する。
【００５１】
上述の通り、特徴抽出部１０６は、音声復号処理部１０２の復号処理で取得された音声データに基づく音響信号から、所定の特徴量を抽出した特徴量データを生成して、特徴記録部１０７に記録させる処理を行う。
【００５２】
特徴抽出部１０６が取得する特徴量の項目の種類や組み合わせは限定されないものである。
【００５３】
この実施形態において、特徴抽出部１０６は、宛先ごとに分類して特徴量データを取得する。特徴抽出部１０６は、例えば、宛先ごとに所定の蓄積期間分、特徴量データを蓄積するごとに、その蓄積した音声データ（以下、「特徴量抽出対象データ」と呼ぶ）に基づき特徴量データを抽出する処理を行うものとする。蓄積期間については限定されないものであるが、例えば、１０〜１５秒程度の時間としてもよい。なお、特徴抽出部１０６は、取得した音声データのうち、有音区間（人間の発話した音声が含まれる区間）のみを特徴量抽出対象データとして蓄積するようにしてもよい。
【００５４】
この実施形態において、特徴抽出部１０６は、以下の３つの項目について特徴量データを取得するものとする。
【００５５】
[第１の特徴量：帯域別パワー]
通常電話通信において伝送される周波数帯域は０．３〜３．４ｋＨｚの範囲である。この実施形態では、特徴抽出部１０６は、この通常電話通信において伝送される帯域を複数のブロック帯域に分割してブロック帯域ごとの平均パワー（以下、「帯域別パワー」と呼ぶ）を取得する。ここでは、特徴抽出部１０６は、０．３ｋＨｚ〜３．４ｋＨｚの間を０．１ｋＨｚごとのブロック帯域に分割して、ブロック帯域ごとの平均パワーを取得するものとする。
【００５６】
特徴抽出部１０６は、例えば、特徴量抽出対象データをＦＦＴ（Ｆａｓｔ  Ｆｏｕｒｉｅｒ  Ｔｒａｎｓｆｏｒｍ）処理して周波数スペクトルを取得し、周波数ごとのパワー（例えば、１Ｈｚごとのパワー）を測定し、ブロック帯域ごとの平均パワーを取得する。
【００５７】
[第２の特徴量：ホルマント]
特徴抽出部１０６は、特徴量抽出対象データに基づく周波数スペクトルから、所定数のホルマントを取得（第１ホルマントから順に高次のホルマントを取得）するものとする。例えば、特徴抽出部１０６は、特徴量抽出対象データに基づく周波数スペクトルから、主要な２つのホルマント（第１ホルマントと第２ホルマント）のレベル（ｄＢ）を取得するようにしてもよい。
【００５８】
[第３の特徴量：非目的音（可聴音）]
特徴抽出部１０６は、特徴量抽出対象データに基づく音響信号から非目的音（例えば、音声認識処理を阻害する可聴音）を抽出する処理を行う。
【００５９】
特徴抽出部１０６は、例えば、特徴量抽出対象データに基づく音響信号から、予め登録された音響信号（例えば、ＢＴ信号、ＰＢ信号、ＤＴ信号等）や、超低域（例えば、０〜０．３ｋＨｚのパワー）のノイズ（以下、「超低域ノイズ」とも呼ぶ）の抽出を試みた結果を第３の特徴量とするようにしてもよい。超低域に所定以上のパワーの音響信号が出現している場合、当該超低域の音響信号は、ノイズ（例えば、送信元の収音手段で発生したノイズ）である可能性が高いためである。
【００６０】
そして、特徴抽出部１０６は、第３の特徴量として、非目的音の有無を示す値（例えば、「非目的音有り」又は「非目的音無し」）を生成するものとする。なお、特徴抽出部１０６は、第３の特徴量として、抽出した非目的音の識別子（例えば、ＢＴ、ＰＢ、ＤＴ、超低域ノイズ等の非目的音を識別する名称）を生成するようにしてもよい。
【００６１】
以上のように、特徴抽出部１０６は、特徴量データを取得する。この実施形態では、特徴抽出部１０６は、第１〜第３の特徴量を含む特徴量データを取得し、当該特徴量データを、宛先ごとに分類して（宛先の識別子と紐づけて）、特徴記録部１０７に記録させる。
【００６２】
次に、加工シナリオ生成部１１０の動作について説明する。
【００６３】
加工シナリオ生成部１１０は、各宛先について、特徴記録部１０７に記録された特徴量データと属性に基づいて、加工処理部３００の処理内容（以下、「加工シナリオ」と呼ぶ）を生成する。加工シナリオ生成部１１０が、宛先ごとの加工シナリオを更新するタイミングについては限定されないものであるが、例えば、特徴抽出部１０６により新たな特徴量データが生成・登録されたタイミングや、特徴抽出部１０６が生成・登録した特徴量データが変化したタイミングとしてもよい。
【００６４】
加工シナリオ生成部１１０が生成する加工シナリオの構成については限定されないものであるが、例えば、図３、図４に示すような内容を適用することができる。
【００６５】
図３は、属性が音声認識処理端末である音声認識機器Ｔ７の加工シナリオの例について示した説明図である。また、図４は、属性が非音声認識処理端末である電話装置Ｔ４の加工シナリオの例について、表形式で示した説明図である。
【００６６】
図３、図４に示すように、加工シナリオは、少なくとも「宛先識別情報」、「バッファ量」、「イコライザ」、「ホルマント強調」「音量調整」、「可聴音消去」の各項目を有している。
【００６７】
[宛先識別情報の項目]
加工シナリオにおいて、宛先識別情報の項目は、当該加工シナリオの宛先を識別するための情報である。宛先識別情報としては、例えば、第２のネットワークＮＷ２上のＩＤ情報（例えば、電話番号等）、ＩＰアドレス、ホスト名、種々のＵＲＩ等を適用することができる。図３では、音声認識機器Ｔ７の宛先識別子をＴ７と図示し、電話装置Ｔ４の識別子をＴ４と図示しているが、実際には上述のような識別情報が設定される。
【００６８】
[バッファ量の項目]
バッファ量の項目は、当該宛先について音声データ（音響信号）の加工処理を開始する際に最低限蓄積するバッファ量（処理バッファ２００上のバッファ量）を示している。この実施形態では、バッファ量は、音声データの長さ（時間）で示されるものとする。宛先属性が音声認識処理端末である場合、宛先は人間が使用する電話装置Ｔ４であり、伝送する音声データ（音響信号）の品質ではリアルタイム性が重視されるため、可能な範囲で（例えば、ゆらぎや途切れ等が発生しない範囲で）伝送遅延は少ない方が望ましい。一方、宛先属性が、非音声認識処理端末である場合、宛先は音声認識機器Ｔ７等のマシンであるため、少々の遅延よりも音質が良好（音声認識精度が低下しない音質）であることの方が優先順位が高い。そこで、この実施形態では、宛先属性が、音声認識処理端末のバッファ量には、３ｓｅｃ程度の時間を設定し、宛先属性が非音声認識処理端末のバッファ量には、２０ｍｓｅｃ程度の時間を設定するものとする。加工シナリオにおけるバッファ量の具体的な設定値については限定されないものであるが、音声認識処理端末のバッファ量を、非音声認識処理端末よりも多く設定することが望ましい。
【００６９】
[イコライザの項目]
イコライザの項目は、当該宛先の音声データについて、イコライザ３０３を用いた加工処理の内容を設定するものとする。イコライザの項目は、イコライザ３０３を用いた加工処理の有効／無効を示すスイッチの値（ＯＮ又はＯＦＦ）と、具体的なイコライザの処理内容（スイッチの値がＯＮである場合のパラメータ）が設定されるものとする。ここでは、イコライザの処理内容としては、各帯域（高域、中域、低域）についてレベルを引き上げるか否かを示す値（ＯＮ又はＯＦＦの値）が設定されるものとする。例えば、図３に示すイコライザの項目では、スイッチの値を示すＯＮの後に続く括弧内に、イコライザの処理内容が記述されている。図３では、イコライザの項目が「ＯＮ（高域：ＯＦＦ、中域：ＯＮ、低域：ＯＦＦ）」となっているため、中域についてのみイコライザの処理を実行（所定レベルパワーを引き上げる処理を実行）し、高域、低域についてはイコライザの処理を行わない（特にパワーを引き上げる処理を行わない）ということを示している。一方、図４では、イコライザの項目がＯＦＦとなっているため、イコライザ３０３を用いた加工処理を行わないことを示している。
【００７０】
この実施形態では、加工シナリオ生成部１１０は、宛先属性が非音声認識処理端末のイコライザ全体のスイッチをＯＦＦと設定するものとする。また、加工シナリオ生成部１１０は、宛先属性が音声認識処理端末のイコライザの項目には、第１の特徴量（帯域別パワー）の内容に応じて、ＯＮ又はＯＦＦを設定するものとする。加工シナリオ生成部１１０は、例えば、第１の特徴量（帯域別パワー）に基づいて、低域、中域、高域の各帯域について平均パワーを算出し、最もパワーの高い帯域と比較して閾値Ｔｈ１以上低い帯域がある場合に、イコライザ全体のスイッチをＯＮに設定するものとする。Ｔｈ１の値としては、例えば、６ｄＢ程度を適用することができる。そして、加工シナリオ生成部１１０は、イコライザの処理内容として、最もパワーの高い帯域と比較して閾値Ｔｈ１以上低い帯域のスイッチのみＯＮとし、それ以外の帯域のスイッチをＯＦＦとする。例えば、第１の特徴量（帯域別パワー）において、低域の平均パワーが−１４ｄＢ、中域の平均パワーが−２０ｄＢ、高域の平均パワーが−１４ｄＢだった場合、加工シナリオ生成部１１０は、イコライザの項目に、ＯＮ（高域：ＯＦＦ、中域：ＯＮ、低域：ＯＦＦ）を設定することになる。
【００７１】
[ホルマント強調の項目]
ホルマント強調の項目は、当該宛先の音声データについて、ホルマント強調部３０４を用いた加工処理の有効／無効を示すスイッチの値（ＯＮ又はＯＦＦ）が設定されるものとする。ホルマントの項目は、ホルマント強調部３０４を用いた加工処理を有効とするＯＮ又は、ホルマント強調部３０４を用いた加工処理を無効とするＯＦＦが設定される。なお、ホルマントの項目には、具体的に可聴音消去の処理内容を示すパラメータを追加するようにしてもよい。
【００７２】
この実施形態では、宛先属性が非音声認識処理端末のホルマントの項目にはＯＦＦを設定するものとする。また、加工シナリオ生成部１１０は、宛先属性が音声認識処理端末のホルマント強調の項目には、第２の特徴量（ホルマント）の内容に応じて、ＯＮ又はＯＦＦを設定するものとする。加工シナリオ生成部１１０は、例えば、第２の特徴量（ホルマント）において、第１ホルマント及び第２ホルマントのパワーが所定の閾値Ｔｈ３未満の場合にホルマント強調の項目にＯＮを設定し、第１ホルマント又は第２ホルマントのいずれかが閾値Ｔｈ３以上であった場合にはホルマント強調の項目にＯＦＦを設定するものとする。
【００７３】
[音量調整の項目]
音量調整の項目は、当該宛先の音声データについて、音量調整部３０１を用いた加工処理の有効／無効を示すスイッチの値（ＯＮ又はＯＦＦ）が設定されるものとする。音量調整の項目は、音量調整部３０１を用いた加工処理を有効とするＯＮ又は、音量調整部３０１を用いた加工処理を無効とするＯＦＦが設定される。なお、音量調整の項目には、具体的に音量調整の処理内容を示すパラメータを追加するようにしてもよい。
【００７４】
この実施形態では、加工シナリオ生成部１１０は、宛先属性が非音声認識処理端末の音量調整の項目にはＯＦＦを設定するものとする。また、加工シナリオ生成部１１０は、宛先属性が音声認識処理端末の音量調整の項目には、第１の特徴量（帯域別パワー）の内容に応じて、ＯＮ又はＯＦＦを設定するものとする。加工シナリオ生成部１１０は、例えば、第１の特徴量（帯域別パワー）に基づいて、０．３〜３．４ｋＨｚの周波数帯の平均パワーを算出し、平均パワーが閾値Ｔｈ２未満だった場合に音量調整の項目にＯＮを設定し、平均パワーが閾値Ｔｈ２以上だった場合に音量調整の項目にＯＦＦを設定するものとする。
【００７５】
[可聴音消去の項目]
可聴音消去の項目は、当該宛先の音声データについて、可聴音消去部３０２を用いた加工処理の有効／無効を示すスイッチの値（ＯＮ又はＯＦＦ）が設定されるものとする。可聴音消去の項目は、可聴音消去部３０２を用いた加工処理を有効とするＯＮ、又は可聴音消去部３０２を用いた加工処理を無効とするＯＦＦが設定される。なお、可聴音消去の項目には、具体的に可聴音消去の処理内容を示すパラメータを追加するようにしてもよい。
【００７６】
この実施形態では、宛先属性が非音声認識処理端末の可聴音消去の項目にはＯＦＦを設定するものとする。また、加工シナリオ生成部１１０は、宛先属性が音声認識処理端末の可聴音消去の項目には、第３の特徴量（非目的音）の内容に応じて、ＯＮ又はＯＦＦを設定するものとする。加工シナリオ生成部１１０は、例えば、第３の特徴量（非目的音）に「非目的音有り」が設定されていた場合に可聴音消去の項目にＯＮを設定し、第３の特徴量（非目的音）に「非目的音無し」が設定されていた場合に可聴音消去の項目にＯＦＦを設定するものとする。
【００７７】
以上のように、加工シナリオ生成部１１０は、加工シナリオを作成する処理を行う。
【００７８】
なお、加工シナリオのデータでは、加工処理の順序をパラメータの登録順序（配置順序）で示すようにしてもよい。例えば、図３では、イコライザ、ホルマント強調、音量調整、可聴音消去の順にパラメータが登録（配置）されているので、音声データ（音響信号）に対してイコライザ３０３、ホルマント強調部３０４、音量調整部３０１、可聴音消去部３０２の順序で加工処理を実行させることを示すことになる。
【００７９】
次に、音声データ処理部１０３及び加工シーケンサ１１１の動作について説明する。
【００８０】
加工シーケンサ１１１は、宛先ごとに、加工シナリオ生成部１１０が生成した加工シナリオに従って音声データ（音片データ）の加工を行うように、音声データ処理部１０３を制御する。
【００８１】
音声データ処理部１０３は、音声復号処理部１０２から、いずれかの宛先への音声データの流れ（以下、この流れを「音声データフロー」とも呼ぶ）が開始すると、当該音声データフローに処理バッファ２００上のバッファ領域を割当て、当該音声データフローの音声データを割当てたバッファ領域に保留する。そして、加工処理部３００は、各バッファ領域（宛先ごとのバッファ領域）に保留された音声データについて、時系列順に加工シーケンサ１１１の制御に従った加工処理を施し、完了した音声データから順に音声符号化処理部１０４へ供給する。音声データ処理部１０３（加工処理部３００）は、例えば、所定のフレーム単位（例えば、パケット受信時と同じ長さのフレーム単位）で、時系列順に音声データを加工処理するようにしてもよい。
【００８２】
次に、具体的に、加工シーケンサ１１１が具体的に加工シナリオに従って加工処理部３００を制御する処理の流れについて説明する。
【００８３】
まず、加工シーケンサ１１１が、図３に示す音声認識機器Ｔ７の加工シナリオに従って、音声認識機器Ｔ７の音声データフローに対応するバッファの制御を行う例について説明する。
【００８４】
図３に示すように、音声認識機器Ｔ７の加工シナリオではバッファ量に３ｓｅｃが設定されている。したがって、加工シーケンサ１１１は、音声認識機器Ｔ７に対応するバッファに３秒分の音声データが保留された時点で加工処理部３００に加工処理を開始させる。
【００８５】
図３に示すように、音声認識機器Ｔ７の加工シナリオでは、イコライザ、ホルマント強調、音量調整、可聴音消去、の順にパラメータが配置され、イコライザ、ホルマント強調、音量調整、及び可聴音消去の項目の値は全てＯＮになっている。したがって、加工シーケンサ１１１は、音声データの加工処理を開始すると、フレーム単位で音声データを、イコライザ３０３、ホルマント強調部３０４、音量調整部３０１、可聴音消去部３０２の順に加工処理させる。また、音声認識機器Ｔ７の加工シナリオでは、イコライザの項目では、イコライザの処理内容として「高域：ＯＦＦ、中域：ＯＮ、低域：ＯＦＦ」が設定されているので、加工シーケンサ１１１は、イコライザ３０３に音声認識機器Ｔ７のバッファの音声データについて、中域のみ所定レベル（例えば、Ｔｈ２＝６ｄＢに相当するレベル）の分パワーを引き上げる処理を行わせる。そして、加工シーケンサ１１１は、当該バッファ上で全ての加工処理工程の完了したフレームの音声データを、処理バッファ２００から音声符号化処理部１０４に供給させる。
【００８６】
次に、加工シーケンサ１１１が、図４に示す電話装置Ｔ４の加工シナリオに従って、電話装置Ｔ４の音声データフローに対応するバッファの制御を行う例について説明する。
【００８７】
図４に示すように、電話装置Ｔ４の加工シナリオではバッファ量に２０ｍｓｅｃが設定されている。また、図４に示すように、電話装置Ｔ４の加工シナリオでは、イコライザ、ホルマント強調、音量調整、及び可聴音消去の項目の値は全てＯＦＦになっている。したがって、加工シーケンサ１１１は、電話装置Ｔ４に対応するバッファに２０ｍｓｅｃ分の音声データが保留されてから加工処理部３００に加工処理を開始させるが、特に加工処理は行われない。したがって、この場合、加工シーケンサ１１１は、当該バッファの音声データを特に加工せず時系列順に音声符号化処理部１０４に供給させることになる。そして、加工シーケンサ１１１は、当該バッファ上で全ての加工処理工程の完了したフレームの音声データを、処理バッファ２００から音声符号化処理部１０４に供給させる。
【００８８】
以上のように、音声データ処理部１０３及び加工シーケンサ１１１は、連携して加工シナリオに沿って音声データの加工処理を行う。そして、音声符号化処理部１０４により、音声データ処理部１０３から出力された音声データが符号化され、符号化されたデータが第２の通信部１０５により再パケット化されて宛先へ送出される。
【００８９】
（Ａ−３）実施形態の効果
この実施形態によれば、以下のような効果を奏することができる。
【００９０】
この実施形態の通信処理装置１０では、宛先の端末に伝送される音声データについて、リアルタイムに宛先の属性に都合のよい音質に変換する処理を行っている。具体的には、この実施形態の通信処理装置１０では、宛先の属性が音声認識処理端末である場合（例えば、宛先が音声認識機器等のマシンである場合）に、当該宛先の音声データについてマシンにとって都合の良い加工処理を行う加工シナリオを生成し、宛先の属性が非音声認識処理端末（例えば、人間が使用する電話装置である場合）に、人間にとって都合の良い加工処理を行う加工シナリオ（特に加工処理を行わないシナリオを含む）を生成して、リアルタイムの音声データの加工処理に適用している。これにより、この実施形態の通信処理装置１０では、音声通信のサービス用途に応じて好適な加工処理をリアルタイムに実行することができる。
【００９１】
例えば、図２の例では、電話装置Ｔ１から音声認識機器Ｔ７に送信されるパケットの音声データ（音声認識機器Ｔ７を宛先とする音声データ）については、図３に示すような加工シナリオにより、マシン（音声認識処理）にとって都合のよい音質に加工される。一方、電話装置Ｔ１から電話装置Ｔ４に送信されるパケットの音声データ（電話装置Ｔ４を宛先とする音声データ）については、図４に示すような加工シナリオにより、特に人間にとって都合の良い音質に加工することができる。なお、図４に示す加工シナリオでは、特に人間にとって都合のよい音質となる加工を図示していないが、人間にとって都合のよい音質とする別のシナリオ（例えば、別の加工処理の項目をＯＮとする処理）等を行うようにしてもよい。
【００９２】
また、通信処理装置１０は、例えば、第１のネットワークＮＷ１上の装置（例えば、電話装置Ｔ１）と第２のネットワークＮＷ２上の装置（例えば、音声認識機器Ｔ７）との間の伝送路上に設置され、電話装置Ｔ１と音声認識機器Ｔ７との間のパケットを中継する装置であるため、上位層（例えば、電話アプリケーションやＳＩＰサーバ）に対して影響を与えずに設置（例えば、電話アプリケーションやＳＩＰサーバ等に対して設計や設定を変更せずに設置）することもできる。言い換えると、例えば、電話装置Ｔ１と音声認識機器Ｔ７との間では、通信処理装置１０の存在を意識せずに透過的な通信が可能となる。
【００９３】
さらに、この実施形態の通信処理装置１０では、試験対象等の宛先に対して呼が着信していなくても、音片処理部１０９により過去の当該宛先へ送信された電話信号（音声データ）の一部を音片データとして抽出し、音声データ処理部１０３で加工処理させてから、宛先に送信させる処理を行う。これにより、この実施形態の通信処理装置１０では、実際に着信がなくても、通信処理装置１０を含む構成で試験（例えば、音声認識処理の精度を確認する試験）を行うことができる。
【００９４】
（Ｂ）他の実施形態
本発明は、上記の実施形態に限定されるものではなく、以下に例示するような変形実施形態も挙げることができる。
【００９５】
（Ｂ−１）上記の実施形態において、特徴抽出部１０６は、端末間を流れる音声データの特徴を分析して、宛先端末の属性を認識するようにしてもよい。例えば、各宛先の音声信号や各宛先から送出された音声信号を分析して、各宛先が音声認識処理端末であるか否かを判定するようにしてもよい。例えば、特徴抽出部１０６は、予めマシン音声の特徴（例えば、周波数スペクトル等）を保持しておき、各宛先が送受信する音声信号から機械音声の検出を試み、機械音声が検出された宛先については、音声認識処理端末と認識するようにしてもよい。
【００９６】
（Ｂ−２）上記の実施形態では、第１の通信部１０１で受信されたパケットのデータは全て音声復号処理部１０２により復号されるが、音声データ処理部１０３で加工処理が行われない宛先のデータについては、復号／符号化の処理を行わずに第１の通信部１０１から第２の通信部１０５に直接転送するようにしてもよい。
【００９７】
（Ｂ−３）上記の実施形態では、加工処理部３００で加工処理する要素として、音量調整部３０１、可聴音消去部３０２、及びイコライザ３０３、ホルマント強調部３０４を適用しているが、その他の項目の加工処理を行う要素を追加するようにしてもよい。なお、加工処理部３００で加工処理する要素を追加した場合、加工シナリオにおいてもその項目を追加する必要がある。
【００９８】
加工処理部３００で加工処理する要素としては、例えば、以下のような項目を追加することができる。
【００９９】
[アップサンプリング]
加工処理部３００では、アップサンプリングの処理（サンプリング周波数を上げた信号に変換する処理）を行う要素を追加するようにしてもよい。例えば、処理対象の音響信号についてサンプリング周波数を２倍、４倍、…と逓倍した信号に変換するアップサンプリングの処理を行うことで、より滑らかな音響信号とすることができる。例えば、音声認識機器Ｔ７で、より滑らかな音響信号である方が、音声認識処理が良くなる特性がある場合には、加工シナリオ生成部１１０において、音声認識処理端末についてアップサンプリングの処理を有効（ＯＮ）とする加工シナリオを作成するようにしてもよい。
【０１００】
[ノイズ抑圧]
加工処理部３００では、処理対象の音響信号から背景雑音等のノイズ抑圧の処理を行う要素を追加するようにしてもよい。音響信号から背景ノイズを完全に消去してしまうと、人間にとっては違和感が発生する場合があるため、電話通信で用いる音響信号においては、あえて背景ノイズを完全に抑圧しない調整を行う場合がある。一方で、音声認識を行うマシンにとって背景ノイズは音声認識精度向上に寄与することはない。そこで、加工シナリオ生成部１１０において、音声認識処理端末についてのみノイズ消去の処理を有効（ＯＮ）とする加工シナリオを作成するようにしてもよい。
【０１０１】
[エコーキャンセル]
加工処理部３００では、処理対象の音響信号からエコーキャンセルの処理を行う要素を追加するようにしてもよい。送信元の電話装置や電話回線の状況によってはエコーキャンセルが働かずにエコーを含む音響信号が送出される場合がある。エコーを含む信号は、人間にとってもマシンにとっても都合が良くない。そこで、加工シナリオ生成部１１０において、音声認識処理端末／非音声認識処理端末に関わらず、エコーを含む音響信号については、エコーキャンセルの処理を有効（ＯＮ）とする加工シナリオを作成するようにしてもよい。
【符号の説明】
【０１０２】
１０…通信処理装置、１０１…第１の通信部、１０２…音声復号処理部、１０３…音声データ処理部、１０４…音声符号化処理部、１０５…第２の通信部、１０６…特徴抽出部、１０７…特徴記録部、１０８…原音記録部、１０９…音片処理部、１１０…加工シナリオ生成部、１１１…加工シーケンサ、２００…処理バッファ、３００…加工処理部、３０１…音量調整部、３０２…可聴音消去部、３０３…イコライザ、３０４…ホルマント強調部、ＮＷ１…第１のネットワーク、ＮＷ２…第２のネットワーク。
【図１】
2019176412.tif 000003
【図２】
2019176412.tif 000004
【図３】
2019176412.tif 000005
【図４】
2019176412.tif 000006